(57)【要約】【課題】鼓膜で反射した音響波に基づく検査を簡易かつ高精度に行うことを可能にする検査装置を提供する。【解決手段】本発明の検査装置は、鼓膜で反射した音響波に基づく検査のための検査装置であって、開口を有する筐体と、前記筐体内に設けられた、前記開口を介して音響波を発する音出力部と、前記筐体内に設けられた、前記音出力部から発せられて反射位置で反射した反射音響波を前記開口を介して検出する音検出部と、前記筐体内に設けられた、前記開口を介して前記反射位置を撮像する撮像部と、を有し、前記開口の中心軸に沿った方向において、前記音検出部は、前記音出力部に対して前記開口に近い側に設けられており、前記撮像部は、前記音出力部に対して前記開口から遠い側に設けられている。【選択図】図２
2019180820.tif 000002
【特許請求の範囲】
【請求項１】
鼓膜で反射した音響波に基づく検査のための検査装置であって、
開口を有する筐体と、
前記筐体内に設けられた、前記開口を介して音響波を発する音出力部と、
前記筐体内に設けられた、前記音出力部から発せられて反射位置で反射した反射音響波を前記開口を介して検出する音検出部と、
前記筐体内に設けられた、前記開口を介して前記反射位置を撮像する撮像部と、
を有し、
前記開口の中心軸に沿った方向において、前記音検出部は、前記音出力部に対して前記開口に近い側に設けられており、前記撮像部は、前記音出力部に対して前記開口から遠い側に設けられている
検査装置。
【請求項２】
前記中心軸に沿った方向において前記音出力部と前記音検出部の間に設けられた、前記音出力部から発せられた音響波を拡散する拡散部、をさらに有する
請求項１に記載の検査装置。
【請求項３】
前記拡散部は開口を有し、
前記撮像部は、前記拡散部の前記開口をさらに介して前記反射位置を撮像する
請求項２に記載の検査装置。
【請求項４】
前記音出力部、前記音検出部、及び、前記撮像部の少なくともいずれかは、前記撮像部で前記音出力部と前記音検出部が撮像されないように、前記中心軸からずれた位置に設けられている
請求項１〜３のいずれか１項に記載の検査装置。
【請求項５】
前記音出力部、前記音検出部、及び、前記撮像部の位置関係を保ったまま、前記音出力部、前記音検出部、及び、前記撮像部の向きを調整する調整部、をさらに有する
請求項１〜４のいずれか１項に記載の検査装置。
【請求項６】
前記調整部は、前記検査装置の姿勢が決定された後に、前記音出力部、前記音検出部、及び、前記撮像部の向きを調整する
請求項５に記載の検査装置。
【請求項７】
前記撮像部で撮像された画像を表示部に表示する第１の表示制御手段、をさらに有する請求項１〜６のいずれか１項に記載の検査装置。
【請求項８】
前記表示部の表示面には、前記撮像部で撮像された前記画像の表示時に前記反射位置を示すガイドがある
請求項７に記載の検査装置。
【請求項９】
前記音出力部は、周波数が互いに異なる複数の音響波を個別に発し、
前記検査装置は、前記音検出部で検出された、前記複数の音響波にそれぞれ対応する複数の反射音響波に基づいて、前記音出力部から発せられる音響波の周波数に対する、前記音検出部で検出される反射音響波の強度の分布を示す分布情報を生成する生成手段、をさらに有する
請求項１〜８のいずれか１項に記載の検査装置。
【請求項１０】
前記生成手段によって生成された前記分布情報を表示部に表示する第２の表示制御手段
、をさらに有する
請求項９に記載の検査装置。
【請求項１１】
前記複数の音響波の周波数範囲は、２０００Ｈｚ以上かつ４５００Ｈｚ以下の範囲を含み、当該範囲よりも広い
請求項９に記載の検査装置。
【請求項１２】
前記表示部をさらに有する請求項７，８，１０のいずれか１項に記載の検査装置。
【請求項１３】
前記筐体内に設けられた、光を発する発光部、をさらに有する
請求項１〜１２のいずれか１項に記載の検査装置。
【請求項１４】
前記発光部は、
前記中心軸に対して、前記音検出部と同じ側に設けられており、
前記中心軸に沿った方向において、前記音出力部と前記音検出部の間に設けられている
請求項１３に記載の検査装置。
【請求項１５】
前記筐体は、前記筐体の前記開口から発せられる光の量が増すように、前記筐体の内面の少なくとも一部で、前記発光部から発せられた光を反射する
請求項１３または１４に記載の検査装置。
【請求項１６】
前記音出力部を複数有し、
前記撮像部は、前記複数の音出力部の隙間をさらに介して前記反射位置を撮像する
請求項１〜１５のいずれか１項に記載の検査装置。
【請求項１７】
前記筐体内に設けられた、前記反射位置からの光線を前記撮像部に反射する反射部、をさらに有する
請求項１〜１６のいずれか１項に記載の検査装置。
【請求項１８】
前記撮像部の焦点距離に基づいて前記音検出部と前記反射位置の間の距離を判断する判断手段、をさらに有する
請求項１〜１７のいずれか１項に記載の検査装置。
【発明の詳細な説明】
【技術分野】
【０００１】
本発明は、検査装置に関する。
【背景技術】
【０００２】
耳鼻咽喉科や小児科において、急性中耳炎（ＡＯＭ）や滲出性中耳炎（ＯＭＥ）の診断器具として、アコースティックオトスコープと呼ばれる鼓膜音響反射率検査装置が使用されることがある。アコースティックオトスコープは、或る周波数帯の音響波を鼓膜へ発し、鼓膜で反射した音響波（反射音響波）を分析することで、中耳における浸出液の有無などを評価する。
【０００３】
アコースティックオトスコープを用いた診断には、鼓膜視診の併用が必要となる。視診のみの診断は医師の主観に左右さてしまうため、アコースティックオトスコープは、鼓膜視診の補助器具として重要な医療用検査器具である。特に、小児科医は、鼓膜視診のトレーニングを受けていないため、小児科医による中耳診察にはアコースティックオトスコープが不可欠である。
【０００４】
耳鼻咽喉科で行われる検査として、ティンパノメトリ検査もある。ティンパノメトリ検査は、ＡＯＭやＯＭＥの検査として有効である。しかしながら、ティンパノメトリ検査で使用される低周波数帯の音響波は、乳幼児の耳道内で共鳴し、健康に影響を及ぼす可能性があるため、ティンパノメトリ検査は乳幼児などに対して不向きであるとの報告がされている。アコースティックオトスコープは、高周波数帯の音響波を使用するため、乳幼児にも好適に利用できることが実証されている。また、ティンパノメトリ検査は耳道内を大気圧以上にしながら行われるが、アコースティックオトスコープを用いた検査は、大気圧雰囲気で行われるため、当該検査が被検者へ苦痛を与えることは無い。そのため、特に小児科において、アコースティックオトスコープの重要度が高いと考えられている。
【先行技術文献】
【特許文献】
【０００５】
【特許文献１】特表２００５−５１９６６６号公報
【発明の概要】
【発明が解決しようとする課題】
【０００６】
アコースティックオトスコープを用いた検査では、音響波が鼓膜に対して正しい向き（正面方向）で発せられなければ、鼓膜からは正規の反射音響波を検出できず、正確な検査結果が得られない。しかしながら、アコースティックオトスコープは、正確な検査（測定）が行われたか否かを判断する機能を有していない。そのため、検査者（ユーザ）に依って検査結果の違いが生じることがある。また、検査者は、アコースティックオトスコープの姿勢（耳内への挿入角度など）を変えながら、数多くの検査を行い、多数の検査結果のいずれかを正確な検査結果として選ぶことがある。しかしながら、反射音響波の検出値は鼓膜や中耳の状態に依存するため、多数の検査結果から正確な検査結果を選べるとは限らない。
【０００７】
なお、特許文献１には、ティンパノメトリ検査で使用される装置として、耳内を撮像する撮像部を備える装置が開示されている。しかしながら、アコースティックオトスコープにおいて、特許文献１に開示されたように装置の先端に撮像部を配置すると、鼓膜に発せられる音響波、鼓膜からの反射音響波、等が撮像部によって乱され、正確な検査結果が得られない。
【０００８】
本発明は、上記実情に鑑みなされたものであって、鼓膜で反射した音響波に基づく検査を簡易かつ高精度に行うことを可能にする検査装置を提供することを目的とする。
【課題を解決するための手段】
【０００９】
上記目的を達成するために、本発明では、鼓膜に発せられる音響波、鼓膜からの反射音響波、等が乱されない位置に撮像部を配置する、という方法を採用する。
【００１０】
具体的には、本発明の検査装置は、鼓膜で反射した音響波に基づく検査のための検査装置であって、開口を有する筐体と、前記筐体内に設けられた、前記開口を介して音響波を発する音出力部と、前記筐体内に設けられた、前記音出力部から発せられて反射位置で反射した反射音響波を前記開口を介して検出する音検出部と、前記筐体内に設けられた、前記開口を介して前記反射位置を撮像する撮像部と、を有し、前記開口の中心軸に沿った方向において、前記音検出部は、前記音出力部に対して前記開口に近い側に設けられており、前記撮像部は、前記音出力部に対して前記開口から遠い側に設けられている。
【００１１】
この構成によれば、撮像部が、音出力部や音検出部に対して開口から遠い側（鼓膜から遠い側）に設けられているため、鼓膜に発せられる音響波、鼓膜からの反射音響波、等が撮像部によって乱されることはない。そして、ユーザは、撮像部で撮像された画像を確認することで、音響波が鼓膜に対して発せられたか否か、鼓膜からの反射音響波が検出されたか否か、正確な検査結果が得られたか否か、等を容易に判断できる。その結果、鼓膜で反射した音響波に基づく検査を簡易かつ高精度に行える。また、撮像部で撮像された画像の確認で鼓膜視診が達成されるため、診断効率が上がる。
【００１２】
前記検査装置は、前記中心軸に沿った方向において前記音出力部と前記音検出部の間に設けられた、前記音出力部から発せられた音響波を拡散する拡散部、をさらに有するとよい。これにより、音出力部から発せられた音響波のムラを低減でき、ムラの少ない音響波を鼓膜に当てることができるようになり、より正確な検査結果が得られるようになる。
【００１３】
前記拡散部は開口を有し、前記撮像部は、前記拡散部の前記開口をさらに介して前記反射位置を撮像するとよい。これにより、拡散部が撮像に悪影響を及ぼすことを抑制できると共に、音出力部から発せられた音響波のムラを広い範囲で低減できる。なお、拡散部の開口は、反射音響波への影響が生じないような形状を有することが好ましい。
【００１４】
前記音出力部、前記音検出部、及び、前記撮像部の少なくともいずれかは、前記撮像部で前記音出力部と前記音検出部が撮像されないように、前記中心軸からずれた位置に設けられているとよい。これにより、撮像部で撮像された画像における反射位置（鼓膜など）の視認性が向上する。
【００１５】
前記検査装置は、前記音出力部、前記音検出部、及び、前記撮像部の位置関係を保ったまま、前記音出力部、前記音検出部、及び、前記撮像部の向きを調整する調整部、をさらに有するとよい。例えば、前記調整部は、前記検査装置の姿勢が決定された後に、前記音出力部、前記音検出部、及び、前記撮像部の向きを調整する。これにより、検査装置の姿勢を変えなくても、上記調整後の反射位置を撮像できると共に、上記調整後の反射位置に対応する検査結果を高精度に得ることができる。
【００１６】
前記検査装置は、前記撮像部で撮像された画像を表示部に表示する第１の表示制御手段、をさらに有するとよい。これにより、撮像部で撮像された画像が容易に確認可能となる。また、前記表示部の表示面には、前記撮像部で撮像された前記画像の表示時に前記反射位置を示すガイドがあるとよい。これにより、反射位置が容易に確認可能となる。
【００１７】
前記音出力部は、周波数が互いに異なる複数の音響波を個別に発し、前記検査装置は、前記音検出部で検出された、前記複数の音響波にそれぞれ対応する複数の反射音響波に基づいて、前記音出力部から発せられる音響波の周波数に対する、前記音検出部で検出される反射音響波の強度の分布を示す分布情報を生成する生成手段、をさらに有するとよい。このような分布（反射強度分布）の最大強度、最大強度の鋭さ、形状、等は、鼓膜や中耳の状態に依存する。そのため、上記構成によれば、ユーザは、分布情報を確認することで鼓膜や中耳の状態をより高精度に判断できる。
【００１８】
前記検査装置は、前記生成手段によって生成された前記分布情報を表示部に表示する第２の表示制御手段、をさらに有するとよい。これにより、分布情報が容易に確認可能となる。
【００１９】
前記複数の音響波の周波数範囲は、２０００Ｈｚ以上かつ４５００Ｈｚ以下の範囲を含み、当該範囲よりも広いとよい。これにより、広い周波数範囲における反射強度分布の形状から、鼓膜や中耳の状態が高精度に判断可能となる。
【００２０】
前記検査装置は、前記表示部をさらに有するとよい。これにより、撮像部で撮像された画像、分布情報（反射強度分布）、等がより容易に確認可能となる。また、ユーザが他の装置を確認することによる検査装置の姿勢のぶれ（手ぶれ）を抑制することもできる。
【００２１】
前記検査装置は、前記筐体内に設けられた、光を発する発光部、をさらに有するとよい。これにより、耳内を照明でき、撮像部で明るい画像を撮像でき、当該画像における反射位置の視認性が向上する。
【００２２】
前記発光部は、前記中心軸に対して、前記音検出部と同じ側に設けられており、前記中心軸に沿った方向において、前記音出力部と前記音検出部の間に設けられているとよい。中心軸に対して音検出部と異なる側に発光部を設けると、音検出部が設けられた箇所と発光部が設けられた箇所とのそれぞれで鼓膜に発せられる音響波が乱される。中心軸に対して音検出部と同じ側に発光部を設けることにより、鼓膜に発せられる音響波が乱される個所を減らすことができる。また、音出力部に対して筐体の開口から遠い側に発光部を設けると、耳内を十分に照明できないし、音検出部に対して筐体の開口に近い側に発光部を設けると、鼓膜から音検出部への反射音響波が発光部によって乱される。中心軸に沿った方向において音出力部と音検出部の間に発光部を設けることにより、耳内を十分に照明できると共に、鼓膜から音検出部への反射音響波の乱れを抑制できる。
【００２３】
前記筐体は、前記筐体の前記開口から発せられる光の量が増すように、前記筐体の内面の少なくとも一部で、前記発光部から発せられた光を反射するとよい。これにより、耳内をより明るく照らすことができ、撮像部でより明るい画像を撮像でき、当該画像における反射位置の視認性がより向上する。
【００２４】
前記検査装置は、前記音出力部を複数有し、前記撮像部は、前記複数の音出力部の隙間をさらに介して前記反射位置を撮像するとよい。これにより、ムラの少ない音響波を鼓膜に当てることができるようになり、より正確な検査結果が得られるようになる。
【００２５】
前記検査装置は、前記筐体内に設けられた、前記反射位置からの光線を前記撮像部に反射する反射部、をさらに有するとよい。これにより、撮像部などの配置の自由度を増すことができ、検査装置の小型化などが期待できる。
【００２６】
前記検査装置は、前記撮像部の焦点距離（結像点距離）に基づいて前記音検出部と前記
反射位置の間の距離を判断する判断手段、をさらに有するとよい。これにより、焦点距離に基づく音検出距離（音検出部と反射位置の間の距離）から、検出結果の整合性、鼓膜や中耳の状態の評価、等が可能となる。例えば、鼓膜や中耳の状態が正常である場合には、反射強度分布において最大強度に対応する波長の４分の１が音検出距離に対応する。そのため、反射強度分布に基づく音検出距離が、焦点距離に基づく音検出距離と略等しければ、検査結果の信頼度が高まる。また、反射強度分布に基づく音検出距離が、焦点距離に基づく音検出距離と異なっていれば、鼓膜や中耳の状態が正常でないと判断できる。
【発明の効果】
【００２７】
本発明によれば、鼓膜で反射した音響波に基づく検査を簡易かつ高精度に行うことが可能となる。
【図面の簡単な説明】
【００２８】
【図１】図１は、本実施形態に係る検査装置の外観の一例を示す斜視図である。
【図２】図２（Ａ），２（Ｂ）は、本実施形態に係る本体部の断面の一例を示す断面図である。
【図３】図３は、本実施形態に係る撮像部によって撮像された画像の一例を示す図である。
【図４】図４は、本実施形態に係る反射強度分布の一例を示す図である。
【図５】図５は、本実施形態に係る本体部の断面の一例を示す断面図である。
【図６】図６は、本実施形態に係る撮像部、スピーカ、マイクロフォン、及び、音響拡散板の回動の一例を示す図である。
【発明を実施するための形態】
【００２９】
以下、本発明の実施形態について説明する。なお、以下に記載されている構成や動作は一例であり、本発明の範囲をそれらのみに限定する趣旨のものではない。
【００３０】
（全体構成）
本実施形態に係る検査装置の全体構成について説明する。図１は、本実施形態に係る検査装置１００の外観を示す斜視図である。検査装置１００は、鼓膜で反射した音響波に基づく検査のための装置であり、例えば、アコースティックオトスコープと呼ばれる鼓膜音響反射率検査装置である。
【００３１】
図１に示すように、検査装置１００は、本体部１０１、グリップ部１０２、及び、挿入部１０３を有する。本体部１０１は、検査に必要な各種部材を有する。本体部１０１の詳細については後述する。グリップ部１０２は、検査装置１００をユーザが使用する際にユーザによって保持される部分である。グリップ部１０２の内部には、検査装置１００における種々の制御や情報処理のための制御回路（制御部）３００が設けられている。検査装置１００における制御や情報処理の詳細については後述する。挿入部１０３は、検査装置１００を用いた検査の際に被検者の耳に挿入される部分である。挿入部１０３は、本体部１０１に対して着脱可能であってもよいし、そうでなくてもよい。耳の穴の形状は人に依って異なるため、形状が互いに異なる複数の挿入部の中から被検者に合った挿入部を選択し、選択した挿入部を挿入部１０３として本体部１０１に装着することが好ましい。
【００３２】
（本体部の構成）
本体部１０１の構成について説明する。図２（Ａ），２（Ｂ）は、本体部１０１の断面を示す断面図である。図２（Ａ）は、本体部１０１の上面側（図１の矢印Ａの方向）から見た断面図であり、図２（Ｂ）は、本体部１０１の側面側（図１の矢印Ｂの方向）から見た断面図である。図２（Ａ），２（Ｂ）に示すように、本体部１０１は、筐体２０１、撮像部２０２、スピーカ２０３、マイクロフォン２０４、音響拡散板２０５、発光部２０６
、及び、表示部２０７を有する。撮像部２０２、スピーカ２０３、マイクロフォン２０４、音響拡散板２０５、及び、発光部２０６は、筐体２０１内に設けられている。
【００３３】
筐体２０１は、挿入部１０３の側に開口Ｏ１を有する。撮像部２０２は、開口Ｏ１を介して検査装置１００の外側の反射位置を撮像する。撮像部２０２として、ＣＣＤ、ＣＭＯＳセンサ、等の撮像素子を使用できる。スピーカ２０３は、開口Ｏ１を介して反射位置へ音響波を発する音出力部である。本体部１０１は２つのスピーカ２０３を有しており、撮像部２０２は、２つのスピーカ２０３の隙間をさらに介して反射位置を撮像する。なお、隙間は、光透過性を有する樹脂やガラスなどによって塞がれていてもよい。また、スピーカ２０３の数は１つであっても２つ以上であってもよい。１つのスピーカ２０３に隙間が設けられており、撮像部２０２が当該隙間を介して反射位置を撮像してもよい。但し、スピーカ２０３を本体部１０１に複数設ければ、ムラの少ない音響波を鼓膜に当てることができるようになり、より正確な検査結果が得られるようになる。複数のスピーカ２０３を本体部１０１に設ける場合には、複数のスピーカ２０３から発せられた音の唸りを抑制するために、複数のスピーカ２０３は同一面上で検査装置１００の中心軸に対して対象配置されることが好ましい。マイクロフォン２０４は、スピーカ２０３から発せられて反射位置で反射した反射音響波を開口Ｏ１を介して検出する音検出部である。
【００３４】
開口Ｏ１の中心軸に沿った方向において、マイクロフォン２０４は、スピーカ２０３に対して開口Ｏ１に近い側に設けられており、撮像部２０２は、スピーカ２０３に対して開口Ｏ１から遠い側に設けられている。
【００３５】
アコースティックオトスコープを用いた検査では、音響波が鼓膜に対して正しい向き（正面方向）で発せられなければ、鼓膜からは正規の反射音響波を検出できず、正確な検査結果が得られない。本実施形態では、撮像部２０２が、スピーカ２０３やマイクロフォン２０４に対して開口Ｏ１から遠い側（鼓膜から遠い側）に設けられているため、鼓膜に発せられる音響波、鼓膜からの反射音響波、等が撮像部２０２によって乱されることはない。そして、ユーザは、撮像部２０２で撮像された画像を確認することで、音響波が鼓膜に対して発せられたか否か、鼓膜からの反射音響波が検出されたか否か、正確な検査結果が得られたか否か、等を容易に判断できる。その結果、鼓膜で反射した音響波に基づく検査を簡易かつ高精度に行える。また、アコースティックオトスコープを用いた診断には鼓膜視診の併用が必要となるが、撮像部で撮像された画像の確認で鼓膜視診が達成されるため、診断効率が上がる。
【００３６】
撮像部２０２、スピーカ２０３、及び、マイクロフォン２０４は、撮像部２０２でスピーカ２０３とマイクロフォン２０４が撮像されないように、開口Ｏ１の中心軸からずれた位置に設けられている。これにより、撮像部２０２で撮像された画像における反射位置（鼓膜など）の視認性が向上する。なお、撮像部２０２でスピーカ２０３とマイクロフォン２０４が撮像されなければ、撮像部２０２、スピーカ２０３、及び、マイクロフォン２０４の少なくともいずれかが開口Ｏ１の中心軸上に設けられていてもよい。撮像部２０２でスピーカ２０３とマイクロフォン２０４が撮像されることは許容されてもよい。
【００３７】
音響拡散板２０５は、音響波を拡散する拡散部である。音響拡散板２０５は、開口Ｏ１の中心軸に沿った方向においてスピーカ２０３とマイクロフォン２０４の間に設けられており、スピーカ２０３から発せられた音響波を拡散する。音響拡散板２０５は必須ではないが、音響拡散板２０５を設けることにより、スピーカ２０３から発せられた音響波のムラを低減でき、ムラの少ない音響波を鼓膜に当てることができるようになり、より正確な検査結果が得られるようになる。音響拡散板２０５の形状やサイズは特に限定されないが、本実施形態では、音響拡散板２０５は開口Ｏ２を有し、撮像部２０２は、開口Ｏ２をさらに介して反射位置を撮像する。これにより、音響拡散板２０５が撮像に悪影響を及ぼす
ことを抑制できると共に、スピーカ２０３から発せられた音響波のムラを広い範囲で低減できる。なお、開口Ｏ２は、光透過性を有する樹脂やガラスなどによって塞がれていてもよい。
【００３８】
発光部２０６は光を発する。発光部２０６は必須ではないが、発光部２０６を設けることにより、これにより、耳内を照明でき、撮像部２０２で明るい画像を撮像でき、当該画像における反射位置の視認性が向上する。発光部２０６として、ＬＥＤ（発光ダイオード）などを使用できる。発光部２０６の配置は特に限定されないが、本実施形態では、発光部２０６は、開口Ｏ１の中心軸に対して、マイクロフォン２０４と同じ側に設けられており、開口Ｏ１の中心軸に沿った方向において、スピーカ２０３とマイクロフォン２０４の間に設けられている。すなわち、開口Ｏ１の側から見て、発光部２０６は、マイクロフォン２０４の裏に隠れている。
【００３９】
開口Ｏ１の中心軸に対してマイクロフォン２０４と異なる側に発光部２０６を設けると、マイクロフォン２０４が設けられた箇所と発光部２０６が設けられた箇所とのそれぞれで鼓膜に発せられる音響波が乱される。開口Ｏ１の中心軸に対してマイクロフォン２０４と同じ側に発光部２０６を設けることにより、鼓膜に発せられる音響波が乱される個所を減らすことができる。また、スピーカ２０３に対して開口Ｏ１から遠い側に発光部２０６を設けると、耳内を十分に照明できない。そして、マイクロフォン２０４に対して開口Ｏ１に近い側に発光部２０６を設けると、鼓膜からマイクロフォン２０４への反射音響波が発光部によって乱される。開口Ｏ１の中心軸に沿った方向においてスピーカ２０３とマイクロフォン２０４の間に発光部２０６を設けることにより、耳内を十分に照明できると共に、鼓膜からマイクロフォン２０４への反射音響波の乱れを抑制できる。
【００４０】
筐体２０１の内面のうち、開口Ｏ１に近い部分は、光沢面となっている。筐体２０１は、開口Ｏ１から発せられる光の量が増すように、発光部２０６から発せられた光を光沢面で反射する。これにより、耳内をより明るく照らすことができ、撮像部２０２でより明るい画像を撮像でき、当該画像における反射位置の視認性がより向上する。なお、耳内を明るく照らすことができれば、光沢面の位置やサイズは特に限定されない。筐体２０１の内面全体が光沢面であってもよいし、内面全体が光沢面でなくてもよい。また、発光部２０６から発せられた光が開口Ｏ２を通って撮像部２０２に（過剰に）入射することにより、撮像画像（撮像部２０２で撮像された画像）の画質が劣化すると考えられる。そのため、発光部２０６から発せられた光が撮像部２０２に（過剰に）入射しないように開口Ｏ２のサイズや位置が決定されることが好ましい。発光部２０６から発せられた光は、上述した光沢面、開口Ｏ２の内面、等で反射して開口Ｏ２を通って撮像部２０２に入射すると考えられる。そのため、発光部２０６から発せられた光が撮像部２０２に（過剰に）入射しないように光沢面の位置やサイズが決定されることが好ましい。そして、開口Ｏ２の内面での光反射が生じないように、開口Ｏ２の内面での光反射率は低いことが好ましい。
【００４１】
表示部２０７は、制御回路３００によって制御され、種々の画像や情報を表示する。表示部２０７としては、液晶パネル（バックライトユニットを含む）、有機ＥＬパネル、等を使用できる。例えば、表示部２０７には、撮像部２０２によって撮像された画像が表示される。これにより、撮像部２０２で撮像された画像が容易に確認可能となる。また、表示部２０７の表示面には、撮像部２０２で撮像された画像の表示時に反射位置を示すガイドがある。これにより、反射位置が容易に確認可能となる。ガイドは、表示面に予めプリントされていてもよいし、制御回路３００が表示部２０７を制御することによって表示面に表示されてもよい。図３は、撮像部２０２によって撮像された画像の一例を示す。例えば、ユーザは、ガイドの位置に鼓膜が表示されるように、表示面（撮像部２０２で撮像された画像）を確認しながら検査装置１００の姿勢を変えるだけで、正確な検査結果を得ることができる。
【００４２】
なお、ガイドの形状は特に限定されない。例えば、ガイドの形状は丸形状などであってもよい。また、ガイドは必須ではない。撮像部２０２で鼓膜が撮像されるように、表示面を確認しながら検査装置１００の姿勢を変えれば、或る程度正確な検査結果を得ることができる。
【００４３】
なお、表示部２０７は検査装置１００とは別体の装置であってもよい。但し、表示部２０７を検査装置１００が有することにより、種々の画像や情報がより容易に確認可能となる。また、ユーザが他の装置を確認することによる検査装置１００の姿勢のぶれ（手ぶれ）を抑制することもできる。
【００４４】
（制御回路の処理）
制御回路３００の処理について説明する。上述したように、制御回路３００は、種々の画像や情報を表示部２０７に表示する表示制御を行う。さらに、制御回路３００は、以下で述べる各種処理を行う。
【００４５】
制御回路３００は、周波数が互いに異なる複数の音響波が個別に発せられるように、スピーカ２０３を制御する。そして、制御回路３００は、マイクロフォン２０４で検出された、上記複数の音響波にそれぞれ対応する複数の反射音響波に基づいて、反射強度分布を示す分布情報を生成する。反射強度分布は、スピーカ２０３から発せられる音響波の周波数に対する、マイクロフォン２０４で検出される反射音響波の強度の分布である。図４は、反射強度分布の一例を示す。反射強度分布の最大強度、最大強度の鋭さ、形状、等は、鼓膜や中耳の状態に依存する。例えば、正常な状態、膿や水などの液体が中耳に入っている状態、鼓膜に穴が開いている状態、中耳が腫れている状態、及び、鼓膜に治療器具（チューブなど）が取り付けられている状態の間で、反射強度分布は異なる。そのため、ユーザは、分布情報を確認することで鼓膜や中耳の状態をより高精度に判断できる。制御回路３００は、生成した分布情報を表示部２０７に表示する表示制御を行う。これにより、分布情報が容易に確認可能となる。
【００４６】
上記複数の音響波の周波数範囲は特に限定されないが、本実施形態では、上記複数の音響波の周波数範囲は、２０００Ｈｚ以上かつ４５００Ｈｚ以下の範囲を含み、当該範囲よりも広い。具体的には、図４に示すように、上記複数の音響波の周波数範囲は、２２６Ｈｚ以上かつ８０００Ｈｚである。従来は２０００Ｈｚ以上かつ４５００Ｈｚ以下という比較的狭い周波数範囲の音響波が鼓膜に当てられていた。そのため、反射強度分布の形状から鼓膜や中耳の状態を判断するという思想すら見いだせず、反射強度分布の最大強度と、最大強度の鋭さとからしか鼓膜や中耳の状態を判断していなかった。本実施形態では、従来よりも広い周波数範囲の音響波が鼓膜に当てられるため、反射強度分布の形状から、鼓膜や中耳の状態が高精度に判断可能となる。例えば、２０００Ｈｚ未満の周波数範囲における反射強度分布の形状、４５００Ｈｚより高い周波数範囲における反射強度分布の形状、等から、従来の反射強度分布の形状からは判断できなかった状態（鼓膜や中耳の状態）が判断可能となる。
【００４７】
以上述べたように、本実施形態によれば、スピーカ２０３やマイクロフォン２０４に対して開口Ｏ１から遠い側に撮像部２０２が設けられる。これにより、鼓膜で反射した音響波に基づく検査を簡易かつ高精度に行える。
【００４８】
なお、図５に示すように、反射位置からの光線を撮像部２０２に反射する反射部（ミラー）２０８が、筐体２０１内に設けられていてもよい。これにより、撮像部２０２などの配置の自由度を増すことができ、検査装置１００の小型化などが期待できる。
【００４９】
また、制御回路３００は、撮像部２０２、スピーカ２０３、マイクロフォン２０４、及び、音響拡散板２０５の位置関係を保ったまま、撮像部２０２、スピーカ２０３、マイクロフォン２０４、及び、音響拡散板２０５の向きを不図示の調整部により調整してもよい。例えば、制御回路３００は、検査装置１００の姿勢が決定された後に、撮像部２０２、スピーカ２０３、マイクロフォン２０４、及び、音響拡散板２０５の向きを不図示の調整部により調整する。具体的には、図６に示すように、制御回路３００は、不図示の調整部により撮像部２０２、スピーカ２０３、マイクロフォン２０４、及び、音響拡散板２０５を回動する。これにより、検査装置１００の姿勢を変えなくても、上記調整後の反射位置を撮像できると共に、上記調整後の反射位置に対応する検査結果を高精度に得ることができる。
【００５０】
また、撮像部２０２がオートフォーカス機能を有し、制御回路３００が、撮像部２０２の焦点距離に基づいてマイクロフォン２０４と反射位置の間の距離を判断してもよい。これにより、焦点距離に基づく音検出距離（マイクロフォン２０４と反射位置の間の距離）から、検出結果の整合性、鼓膜や中耳の状態の評価、等が可能となる。例えば、鼓膜や中耳の状態が正常である場合には、反射強度分布において最大強度に対応する波長（図４の周波数Ｆｍａｘの逆数）の４分の１が音検出距離に対応する。そのため、反射強度分布に基づく音検出距離が、焦点距離に基づく音検出距離と略等しければ、検査結果の信頼度が高まる。また、反射強度分布に基づく音検出距離が、焦点距離に基づく音検出距離と異なっていれば、鼓膜や中耳の状態が正常でないと判断できる。
【００５１】
また、制御回路３００は、反射強度分布に基づく音検出距離、焦点距離に基づく音検出距離、等を表示部２０７に表示してもよい。制御回路３００は、反射強度分布に基づく音検出距離と焦点距離に基づく音検出距離との差が所定の閾値以上である場合に、鼓膜や中耳の状態が正常でないことなどを示す所定の通知を行ってもよい。制御回路３００は、反射強度分布に基づく音検出距離と焦点距離に基づく音検出距離との差が所定の閾値未満である場合に、鼓膜や中耳の状態が正常であること、正確な検査結果が得られたこと、等を示す所定の通知を行ってもよい。これらにより、利便性が向上する。
【符号の説明】
【００５２】
１００：検査装置  １０１：本体部  １０２：グリップ部  １０３：挿入部
２０１：筐体  ２０２：撮像部  ２０３：スピーカ  ２０４：マイクロフォン
２０５：音響拡散板  ２０６：発光部  ２０７：表示部  ２０８：反射部
３００：制御回路
【図１】
2019180820.tif 000003
【図２】
2019180820.tif 000004
【図３】
2019180820.tif 000005
【図４】
2019180820.tif 000006
【図５】
2019180820.tif 000007
【図６】
2019180820.tif 000008